【誤訳訂正書】
【提出日】令和3年12月3日(2021.12.3)
【誤訳訂正１】
【訂正対象書類名】特許請求の範囲
【訂正対象項目名】全文
【訂正方法】変更
【訂正の内容】
【特許請求の範囲】
【請求項１】
公共警報システム（ＰＷＳ）メッセージをユーザ機器（ＵＥ）デバイスに非３ＧＰＰ無線ネットワークを介して提供することを可能にする方法であって、前記方法は、
前記ＵＥデバイスから非３ＧＰＰ相互接続機能（Ｎ３ＩＷＦ）へのインターネットプロトコルセキュリティ（ＩＰｓｅｃ）トンネル接続を非３ＧＰＰ（Ｎ３ＧＰＰ）無線アクセス技術によって確立する段階と、
公共警報システム（ＰＷＳ）メッセージの提供を、前記ＵＥデバイスが第１のコアネットワーク（ＣＮ）エンティティから要求する段階と、
前記第１のＣＮエンティティに、前記ＵＥデバイスの位置についての情報を、前記ＵＥデバイスが提供する段階と、
前記ＵＥデバイスが前記第１のＣＮエンティティを用いて、グループに関連する通知エリアに基づいて前記第１のＣＮエンティティにより警戒メッセージが提供される前記グループにサブスクライブする段階であって、前記通知エリアは前記ＵＥデバイスの前記位置を含む、段階と、
前記ＵＥデバイスが前記ＩＰｓｅｃトンネルを介してサブスクライブする結果として、前記警戒メッセージの前記通知エリアを含む地域に関連する送信元アドレス又は宛先アドレスを有するＰＷＳメッセージを、前記ＵＥデバイスが受信する段階と
を備える、方法。
【請求項２】
前記ＵＥデバイスの前記位置についての前記情報は、
３ＧＰＰアクセスを介して受信される前記ＵＥデバイスからのセルのセル識別と、
３ＧＰＰアクセスを介して受信される前記ＵＥデバイスのトラッキングエリア識別と、
衛星により送信される信号を用いて取得される、前記ＵＥデバイスの地理的位置と、
インターネットプロトコル（ＩＰ）アドレスと
のうちの少なくとも１つにより提供される、請求項１に記載の方法。
【請求項３】
前記Ｎ３ＩＷＦは前記第１のＣＮエンティティにより提供され、前記ＰＷＳメッセージはソース特定ＩＰマルチキャスト又は任意ソースＩＰマルチキャストにより配信される、請求項１又は２に記載の方法。
【請求項４】
ホーム公衆陸上移動体ネットワーク（ＰＬＭＮ）のネットワーク露出機能（ＮＥＦ）が、前記ＵＥデバイスの前記位置を含む地理的カバレッジを有するＰＬＭＮのＮＥＦでサブスクライブする、請求項１から３のいずれか一項に記載の方法。
【請求項５】
前記第１のＣＮエンティティは認証モビリティ機能（ＡＭＦ）を含み、前記ＡＭＦは、前記ＵＥデバイスの前記位置を含む地域向けのＰＷＳメッセージに特化したマルチキャストチャネル及びマルチキャストグループのうちの１つに、前記ＵＥデバイスをサブスクライブする、請求項１又は２に記載の方法。
【請求項６】
前記ＡＭＦは、前記ＵＥデバイスへの前記ＰＷＳメッセージの配信に関して、第２のＣＮエンティティに、前記Ｎ３ＩＷＦをサブスクライブする、請求項５に記載の方法。
【請求項７】
前記第１のＣＮエンティティは、ＰＷＳメッセージングが前記Ｎ３ＧＰＰ無線アクセス技術を通じてサポートされるかどうかを、前記ＵＥデバイスに前記Ｎ３ＧＰＰ無線アクセス技術を通じて通知する、請求項１から６のいずれか一項に記載の方法。
【請求項８】
公共警報システム（ＰＷＳ）メッセージを受信するように適応したユーザ機器（ＵＥ）デバイスであって、前記ＵＥデバイスは、前記ＵＥデバイスから非３ＧＰＰ相互接続機能（Ｎ３ＩＷＦ）へのインターネットプロトコルセキュリティ（ＩＰｓｅｃ）トンネル接続によって、非３ＧＰＰ（Ｎ３ＧＰＰ）無線アクセス技術を用いて、コアネットワーク（ＣＮ）エンティティにアクセスするように構成され、前記ＵＥデバイスはさらに、ＰＷＳメッセージングを受信する能力について第１のＣＮエンティティに通知するように構成され、前記能力は任意選択で、そのようなメッセージングを受信する前記ＵＥデバイスのユーザの欲求を示してよく、
前記ＵＥデバイスは、
前記第１のＣＮエンティティに前記ＵＥデバイスの位置についての情報を提供することと、
グループに関連する通知エリアに基づいて前記第１のＣＮエンティティにより警戒メッセージが提供される前記グループに、前記第１のＣＮエンティティを用いて前記ＵＥデバイスをサブスクライブすることであって、前記通知エリアは前記ＵＥデバイスの前記位置を含む、サブスクライブすることと、
前記ＵＥデバイスによる前記グループのサブスクリプションの結果として、前記警戒メッセージの前記通知エリアを含む地域に関連する送信元アドレス又は宛先アドレスを有するＰＷＳメッセージを、前記ＩＰｓｅｃトンネルを介して受信することと
を行うように適応している、ＵＥデバイス。
【請求項９】
前記第１のＣＮエンティティは前記Ｎ３ＩＷＦを含む、請求項８に記載のＵＥデバイス。
【請求項１０】
前記第１のＣＮエンティティは認証モビリティ機能を含む、請求項８に記載のＵＥデバイス。
【請求項１１】
前記ＵＥデバイスは、前記コアネットワークからのＰＷＳメッセージ配信サービスへの前記ＵＥデバイスの登録を確認する確認情報を受信するように構成される、請求項８に記載のＵＥデバイス。
【誤訳訂正２】
【訂正対象書類名】明細書
【訂正対象項目名】００３６
【訂正方法】変更
【訂正の内容】
【００３６】
ＣＮエンティティはＡＭＦであってよく、ＡＭＦは、ＵＥデバイスの位置を含む地域向けの警戒メッセージに特化したマルチキャスト（ＭＣ）チャネル又はマルチキャストグループに対して、ＵＥデバイスを、Ｎ３ＩＷＦにおいてサブスクライブする。ＡＭＦはまた、同じＭＣチャネル又はＭＣグループに対して、Ｎ３ＩＷＦを、ＣＮエンティティ（ＮＥＦ）において、まだサブスクライブしていなければサブスクライブする。あるいは、ＡＭＦは、ＭＣチャネル又はＭＣグループに対応する警戒メッセージを配信するサービスに対して、Ｎ３ＩＷＦを、ＣＮエンティティ（ＮＥＦ）において（まだサブスクライブしていなければ）サブスクライブする。ＡＭＦは任意選択で、Ｎ３ＩＷＦ及び／又はＵＥデバイスとＰＷＳサービスとの間の関係、並びに関連する通知エリア又はＵＥデバイスの位置を格納する（注意：ストレージは推奨されないが、選択肢である。実施形態を参照のこと）。
【誤訳訂正３】
【訂正対象書類名】明細書
【訂正対象項目名】００４２
【訂正方法】変更
【訂正の内容】
【００４２】
代替的に、ＵＥは、関心／ＰＷＳ警戒メッセージを受信する能力について、（例えば登録中に）ＡＭＦに通知してよく、ＵＥはその位置について、地理的位置又はＰＬＭＮ、国、ＴＡ又はセルＩＤの形でＡＭＦに通知する。位置、ＰＬＭＮ、ＴＡ、又はセルＩＤは、ＡＭＦのＰＬＭＮの一般的なカバレッジエリアの外側の位置を指し示してよい。ＡＭＦは、ＵＥデバイスの位置での警報に該当する１つ又は複数のＭＣグループ又はＭＣチャネルに対して、ＵＥをＮ３ＩＷＦにおいてサブスクライブする。
【誤訳訂正４】
【訂正対象書類名】明細書
【訂正対象項目名】００７４
【訂正方法】変更
【訂正の内容】
【００７４】
ここで、本発明の一態様によれば、第２のＰＬＭＮのＡＭＦは、それぞれの警報メッセージ配信サービスに対して、ＵＥをＮ３ＩＷＦにおいてサブスクライブしてよい。参考として、ＡＭＦはＵＥ識別を用い、ＡＭＦは通知エリア又はＵＥがサブスクライブする必要がある地域を提供する。
【誤訳訂正５】
【訂正対象書類名】明細書
【訂正対象項目名】００７６
【訂正方法】変更
【訂正の内容】
【００７６】
代替的に、第２のＰＬＭＮのＮ３ＩＷＦは、ＮＥＦのそれぞれのサービスをＡＭＦによりサブスクライブさせられてよい。すなわち、ＡＭＦは、サービスに対して、ＵＥをＮ３ＩＷＦにおいてサブライブし、Ｎ３ＩＷＦをＮＥＦにおいてサブスクライブするエンティティであってよい。この代替案では、第２のＰＬＭＮのＡＭＦ又は他のＣＮエンティティを必要とし、Ｎ３ＩＷＦによる警報メッセージ配信サービスのサブスクリプションを格納して、例えば、重複サブスクリプションを防ぐことができる。代替的に、本システムは、Ｎ３ＩＷＦによる同じサービスの重複サブスクリプションによって、どのような問題も確実に生じないようにする。